(57)【要約】【課題】センサを遮光状態として校正を行う際の利便性を向上した測光装置を提供する。【解決手段】測定対象となる光が入射される測光センサ３０と、測光センサが出力する信号を処理する信号処理手段と、外部光を前記測光センサに導入する光学系５０，１００，９２，９３，１５０とを備える測光装置１を、測光センサに外部光を導入する測光モードと測光センサを外部光から遮断して校正を行う校正モードとの選択操作が入力される操作部材７０と、操作部材の測光モードから校正モードへの切換動作と連動して光学系の一部に挿入され、測光センサを外部光から遮断する遮光部材１３０とを備える構成とする。【選択図】図６
2016053549.tif 000002
【特許請求の範囲】
【請求項１】
測定対象となる光が入射される測光センサと、
前記測光センサが出力する信号を処理する信号処理手段と、
外部光を前記測光センサに導入する光学系と
を備える測光装置であって、
前記測光センサに外部光を導入する測光モードと前記測光センサを外部光から遮断して校正を行う校正モードとの選択操作が入力される操作部材と、
前記操作部材の前記測光モードから前記校正モードへの切換動作と連動して前記光学系の一部に挿入され、前記測光センサを外部光から遮断する遮光部材と
を備えることを特徴とする測光装置。
【請求項２】
前記測光モードは、通常測光モード及び前記通常測光モードよりも大光量の測定を行う大光量測定モードを有し、
前記操作部材は、前記通常測光モード及び前記大光量測定モードの選択動作が入力され、
前記操作部材の前記通常測光モードから前記大光量測定モードへの切換動作と連動して前記光学系の一部に挿入され、通過光量を低減するＮＤフィルタを備えること
を特徴とする請求項１に記載の測光装置。
【請求項３】
前記光学系は入射された外部光を拡散するとともに、前記センサに対して光軸方向に離間した測光位置、及び、前記測光位置に対して前記センサに近接した収納位置との間で移動する拡散板を有し、
前記操作部材の前記測光モードから前記校正モードへの選択動作と連動して前記拡散板を前記測光位置から前記収納位置へ移動させる拡散板連動機構を有すること
を特徴とする請求項１又は請求項２に記載の測光装置。
【請求項４】
前記遮光部材は、前記測光センサに対して固定され測光時に光線が通過する開口を有する第１部材と、前記第１部材の開口を実質的に閉塞する第２部材とを有し、
前記第２部材は、前記操作部材の前記測光モードから前記校正モードへの切換動作に応じて前記第２部材を光路から退避した退避位置から前記第２部材の前記開口を閉塞する閉塞位置へ移動させる可動支持部材に取付けられるとともに、該第２部材は、前記可動支持部材に対して、所定の範囲内で光軸方向及び傾斜方向への相対変位が可能なよう支持され、
前記第２部材を前記第１部材側へ付勢する付勢手段を有すること
を特徴とする請求項１から請求項３までのいずれか１項に記載の測光装置。
【請求項５】
前記遮光部材の前記第１部材、前記第２部材の一方に、前記開口を取り囲んで配置された突条が形成され、
前記第１部材、前記第２部材の他方に、前記突条が挿入される溝部が形成されること
を特徴とする請求項４に記載の測光装置。
【発明の詳細な説明】
【技術分野】
【０００１】
本発明は、被測定光の色度や照度等を測定するカラーメータ等の測光装置に関し、特にセンサを遮光状態として校正を行う際の利便性を向上したものに関する。
【背景技術】
【０００２】
カラーメータ（色測定器・色温度測定器）は、分光感度特性が異なる複数のセンサを用いて測光を行ない、計測対象となる光の色温度等を演算する測光装置である。
例えば特許文献１には、相互に異なった分光感度を有する４組の測光センサを用いて、相互に特性が異なった三色分光感度に対応する色温度情報等を出力するカラーメータが記載されている。
【先行技術文献】
【特許文献】
【０００３】
【特許文献１】特開２００９−  ５３０６３号公報
【発明の概要】
【発明が解決しようとする課題】
【０００４】
上述したような測光装置においては、測光センサを実質的に遮光状態（ダーク状態）としてその出力を取得し校正を行ういわゆるダーク補正を行う必要がある。
従来、このようなダーク補正は、測光光学系の外部に遮光用のキャップを取付けて行うことが一般的であったが、操作が煩雑でありかつキャップを紛失する場合もあるなど問題があった。
上述した問題に鑑み、本発明の課題は、センサを遮光状態として校正を行う際の利便性を向上した測光装置を提供することである。
【課題を解決するための手段】
【０００５】
本発明は、以下のような解決手段により、上述した課題を解決する。
請求項１に係る発明は、測定対象となる光が入射される測光センサと、前記測光センサが出力する信号を処理する信号処理手段と、外部光を前記測光センサに導入する光学系とを備える測光装置であって、前記測光センサに外部光を導入する測光モードと前記測光センサを外部光から遮断して校正を行う校正モードとの選択操作が入力される操作部材と、前記操作部材の前記測光モードから前記校正モードへの切換動作と連動して前記光学系の一部に挿入され、前記測光センサを外部光から遮断する遮光部材とを備えることを特徴とする測光装置である。
これによれば、操作部材によるモード選択操作と連動する遮光部材を設けることによって、簡単な操作によりセンサを遮光状態として校正を行うことができる。
さらに、遮光部材を測光装置に設けることによって紛失する懸念がない。
【０００６】
請求項２に係る発明は、前記測光モードは、通常測光モード及び前記通常測光モードよりも大光量の測定を行う大光量測定モードを有し、前記操作部材は、前記通常測光モード及び前記大光量測定モードの選択動作が入力され、前記操作部材の前記通常測光モードから前記大光量測定モードへの切換動作と連動して前記光学系の一部に挿入され、通過光量を低減するＮＤフィルタを備えることを特徴とする請求項１に記載の測光装置である。
これによれば、通常測光モード、大光量測光モード、校正モードの切換を単一の操作部材によって行うことが可能となり、利便性が向上する。
【０００７】
請求項３に係る発明は、前記光学系は入射された外部光を拡散するとともに、前記センサに対して光軸方向に離間した測光位置、及び、前記測光位置に対して前記センサに近接した収納位置との間で移動する拡散板を有し、前記操作部材の前記測光モードから前記校正モードへの選択動作と連動して前記拡散板を前記測光位置から前記収納位置へ移動させる拡散板連動機構を有することを特徴とする請求項１又は請求項２に記載の測光装置である。
これによれば、測光モードから校正モードへの切換と連動して拡散板が収納位置へ移動するため、測光時以外に拡散板が損傷などを受けることを防止できる。
【０００８】
請求項４に係る発明は、前記遮光部材は、前記測光センサに対して固定され測光時に光線が通過する開口を有する第１部材と、前記第１部材の開口を実質的に閉塞する第２部材とを有し、前記第２部材は、前記操作部材の前記測光モードから前記校正モードへの切換動作に応じて前記第２部材を光路から退避した退避位置から前記第２部材の前記開口を閉塞する閉塞位置へ移動させる可動支持部材に取付けられるとともに、該第２部材は、前記可動支持部材に対して、所定の範囲内で光軸方向及び傾斜方向への相対変位が可能なよう支持され、前記第２部材を前記第１部材側へ付勢する付勢手段を有することを特徴とする請求項１から請求項３までのいずれか１項に記載の測光装置である。
これによれば、遮光時に第２部材を第１部材に密着させることが可能となり、確実に遮光を行うことができる。
【０００９】
請求項５に係る発明は、前記遮光部材の前記第１部材、前記第２部材の一方に、前記開口を取り囲んで配置された突条が形成され、前記第１部材、前記第２部材の他方に、前記突条が挿入される溝部が形成されることを特徴とする請求項４に記載の測光装置である。
これによれば、第１部材、第２部材の間にラビリンス的な構造を設けることによって、より一層確実に遮光を行うことができる。
【発明の効果】
【００１０】
以上説明したように、本発明によれば、センサを遮光状態として校正を行う際の利便性を向上した測光装置を提供することができる。
【図面の簡単な説明】
【００１１】
【図１】本発明を適用した測光装置の実施例であるカラーメータの分解斜視図である。
【図２】実施例のカラーメータにおける操作部材周辺部の外観斜視図である。
【図３】実施例のカラーメータにおけるカム機構の構成を示す図である。
【図４】実施例のカラーメータをファイバロッドの中心軸を含みかつ光学スライド部材の移動方向と平行な平面で切って見た断面図であって、Ｌモード状態を示す図である。
【図５】実施例のカラーメータをファイバロッドの中心軸を含みかつ光学スライド部材の移動方向と平行な平面で切って見た断面図であって、Ｈモード状態を示す図である。
【図６】実施例のカラーメータをファイバロッドの中心軸を含みかつ光学スライド部材の移動方向と平行な平面で切って見た断面図であって、Ｄモード状態を示す図である。
【図７】図４のVII−VII部矢視断面図である。
【図８】実施例のカラーメータにおける光学スライド部材周辺の分解斜視図である。
【図９】実施例のカラーメータにおけるレンズ押え部材と光学スライド部材との係合部周辺の斜視図であって、Ｌモード状態を示す図である。
【図１０】実施例のカラーメータにおけるレンズ押え部材と光学スライド部材との係合部周辺の斜視図であって、Ｈモード状態を示す図である。
【図１１】実施例のカラーメータにおけるレンズ押え部材と光学スライド部材との係合部周辺の斜視図であって、Ｄモード状態を示す図である。
【図１２】実施例のカラーメータにおける可動遮光部材及び固定遮光部材の分解斜視図である。
【図１３】実施例のカラーメータにおける可動遮光部材及び固定遮光部材の断面図であって、Ｌモードにおける状態を示す図である。
【図１４】実施例のカラーメータにおける可動遮光部材及び固定遮光部材の断面図であって、Ｄモードにおける状態を示す図である。
【発明を実施するための形態】
【００１２】
本発明は、センサを遮光状態として校正を行う際の利便性を向上した測光装置を提供する課題を、動作モードを選択する操作部材と連動して光路内に出入りする可動遮光部材を設けることによって解決した。
【実施例】
【００１３】
以下、本発明を適用した測光装置の実施例であるカラーメータ（測色装置）について説明する。
図１は、実施例のカラーメータの分解斜視図である。
カラーメータ１は、本体部１０、センサ収容部２０、分光センサ３０、光学カバー４０、光球５０、カムケース６０、操作部材７０、レンズ押え部材８０、フィルタ固定部材９０、ファイバロッド１００、光学スライド部材１１０、ＮＤフィルタ１２０、可動遮光部材１３０、固定遮光部材１４０、コリメートレンズ１５０、フィルタ位置検出センサ１６０等を有して構成されている。
なお、以下の説明において、光軸とは、ファイバロッド１００の中心軸を示すものとする。
【００１４】
本体部１０は、分光センサ２０の出力を処理するＣＰＵ等の情報処理装置、ＲＡＭやＲＯＭ等の記憶装置、入出力インターフェイス、電源及びこれらを接続するバス等を、樹脂製の筐体内に収容して構成されている。
本体部１０の前面部（測光時における光源側の面部）には、ＬＣＤ等の画像表示装置１１が設けられている。
この画像表示装置１１は、例えばタッチパネルとすることによって、操作部材を兼ねた構成とすることができる。
【００１５】
センサ収容部２０は、分光センサ３０等が収容される筐体部分である。
センサ収容部２０は、本体部１０の一方の端部（例えば通常使用時における上部）に設けられたボックス状の部材であって、光源側に開いた開口２１が形成されている。
センサ収容部２０は、本体部１０に対して、光軸と直交する軸回りに回動可能に取り付けられている。
センサ収容部２０は、例えば樹脂系材料のインジェクション成形によって一体に形成されている。
【００１６】
分光センサ３０は、複数（例えば１２８個）の測光素子を配列させたＣＭＯＳセンサの入射側に、一方向のくさび状のコーティングを施し厚さが連続的に変化するリニアバリアブルフィルタ（ＬＶＦ）を設けた測光センサである。
このような構成によって、分光センサ３０の各測光素子は、実質的に連続的に異なった分光感度特性を有する。
分光センサ３０の出力は、情報処理装置に伝達されて演算処理され、色度、色温度、照度等の各種情報が算出される。
分光センサ３０は、センサ収容部２０の開口２１とは反対側の壁面（光源から遠い側の壁面）における中央部に、基板３１を介して固定されている。
基板３１は、光軸と直交する方向に沿って配置された平板状の部材である。
分光センサ３０の光源側には、迷光の遮蔽のため薄板にスリットを形成した遮光板３２，３３が光源側から順次配置されている。
【００１７】
光学カバー４０は、センサ収容部２０の開口２１を閉塞する蓋状の部材であって、中央部には測光光学系の光路が通過する開口４１が形成されている。
光学カバー４０は、例えば樹脂系材料のインジェクション成形によって一体に形成されている。
光学カバー４０は、光球５０、カムケース６０、操作部材７０、レンズ押え部材８０、ファイバ固定部材９０等が支持される基部として機能するとともに、表面には動作モードの選択に用いられる各種指標（表示）が形成される。
これらの点については以下詳しく説明する。
【００１８】
光球５０は、半透明の乳白色の樹脂系材料によって形成され、入射光を拡散させる拡散板である。
光球５０は、光源側に張り出した球面状の凸面部を有する。
光球５０は、カムケース６０に形成されたカム溝６３によって、操作部材７０から光源側へ突出した測光位置と、実質的に操作部材７０よりも分光センサ３０側へ引き込められた退避位置との間で、光軸方向に沿って移動可能となっている。
光球５０には、カム溝６３に挿入されるピン状のカムフォロワ５１（図３参照）が設けられている。
カムフォロワ５１は光球５０の外周縁部から外径側に突出して形成されている。
【００１９】
カムケース６０は、光軸と実質的に同心に形成された円筒状の部材であって、光学カバー４０の開口４１に挿入されるとともに、光学カバー４０に対して中心軸回りに回転可能に支持されている。
カムケース６０は、例えば樹脂系材料のインジェクション成形によって一体に形成されている。
カムケース６０の側面部（周面部）には、光球５０を光軸方向に駆動するカム溝６３（図３等参照）が形成されている。
カムケース６０は、ユーザが操作部材７０を光学カバー４０に対して光軸回りに回転させた際に、操作部材７０とともに回転する。
【００２０】
カムケース６０の光源側の端部には、外径側に鍔状に張り出したフランジ６１が形成されている。
フランジ６１と光学カバー４０における開口４１の周縁部との間には、カムケース６０の回転時にクリック感を発生させる部材であるクリック板６２が設けられている。
クリック板６２は、ユーザが操作部材７０を回転させて動作モードを切り替えた際にユーザに知覚させるとともに、操作部材７０及びカムケース６０が意図しない回転をしないよう保持する機能を有する。
クリック板６２は、図７に示すように、光学カバー４０に設けられバネによって付勢された鋼球と係合する穴部を有する。
【００２１】
操作部材７０は、ユーザがカラーメータ１の動作モード（各測光モード及び校正モード）を選択する操作を入力するものである。
操作部材７０は、例えば樹脂系材料のインジェクション成形によって一体に形成されている。
カラーメータ１の動作モードは、Ｈモード（高光量モード）、Ｌモード（低光量モード）、Ｄモード（ダーク補正モード）を有し、操作部材７０は、ユーザがこれらモードの選択操作を行なうものである。
【００２２】
Ｌモードは、例えば通常の定常光測光などに用いられる測光モード（通常測光モード）である。
Ｈモードは、例えば写真撮影用の閃光発光装置が発生するフラッシュ光などのように、Ｌモードにおける測光よりも光量が大きい光源の測光に用いられる測光モード（大光量測光モード）である。
Ｄモードは、分光センサ３０への入光を実質的に遮断したダーク状態として分光センサ３０の出力を取得し、カラーメータ１の校正（ダーク補正）を行うモードである。
なお、Ｄモードは、カラーメータ１の不使用時に、電源をオフとしてカラーメータ１を収納する際にも選択され得る。
【００２３】
操作部材７０は、光軸と実質的に同心の円環状に形成されるとともに、光球５０の外径側でありかつ光学カバー４０の開口４１の周縁部に設けられている。
操作部材７０は、光学カバー４０に対して光軸回りに回転可能に支持されている。
操作部材７０は、カムケース６０に連結され、操作部材７０の回転はカムケース６０に伝達されるようになっている。
【００２４】
図２は、実施例のカラーメータにおける操作部材周辺部の外観斜視図である。
図２は、Ｌモードにおける状態を示している。
操作部材７０には、指標７１が形成されている。
指標７１は、操作部材７０の外周縁部における一か所から、外径側に突出して形成されている。
一方、光学カバー４０の開口４１の周縁部には、Ｈモード指標４２、Ｌモード指標４３、Ｄモード指標４４が周方向に配列されている。
ユーザは、操作部材７０を光軸回りに回転させ、指標７１を光学カバー４０側の任意の指標に合わせることによって、動作モードの選択操作を行うようになっている。
例えば、図２においては、Ｌモードが選択された状態を示しており、ここから操作部材を時計回りに回転させることによってＨモードへの切り替えが行われ、反時計回りに回転させることによってＤモードへの切り替えが行われるようになっている。
【００２５】
図３は、実施例のカラーメータにおけるカム機構の構成を示す図である。
図３は、カムケース６０を径方向から見た状態を示し、光学カバー４０は図示していない。
図３は、Ｌモードにおける状態を示している。
カムケース６０の周面に形成されたカム溝６３には、光球５０のカムフォロワ５１が挿入されている。
カム溝６３とカムフォロワ５１とは、カムケース６０の回転に応じて相対変位し、光球５０の光軸方向における位置を変化させる。
カム溝６３は、ＬモードからＤモードへの推移時（カムケース６０が光源側から見て反時計回りに回動）に光球５０を光軸方向に沿って分光センサ３０側に引き込むとともに、ＬモードからＨモードへの推移時（カムケース６０が光源側から見て時計回りに回動）には光球５０を繰り出された状態に維持するよう形成されている。
【００２６】
レンズ押え部材８０は、カムケース６０の分光センサ３０側の端部に取り付けられる実質的に円環状の部材である。
レンズ押え部材８０は、例えば樹脂系材料のインジェクション成形によって一体に形成されている。
レンズ押え部材８０は、光学カバー４０の開口４１周縁部における光学カバー４０内部側に設けられ、カムケース６０が光学カバー４０から脱落しないよう保持するものである。
レンズ押え部材８０は、カムケース６０から外径側に鍔状に張り出して形成されるとともに、その光源側の面部は、光学カバー４０の内面と摺動可能に当接している。
レンズ押え部材８０は、光学スライド部材１１０と係合する係合部８１を有する。
係合部８１は、レンズ押え部材８０の外周縁部から、光源側とは反対側に突出した係合ピン８１ａを有する。
係合ピン８１ａは、光学スライド部材１１０の溝部１１３ａに挿入され、カムケース６０の回転と連動して光学スライド部材１１０をセンサ収容部２０に対して相対変位させるものである。
【００２７】
図４乃至６は、実施例のカラーメータをファイバロッドの中心軸を含みかつ光学スライド部材の移動方向と平行な平面で切って見た断面図であって、それぞれＬモード状態、Ｈモード状態、Ｄモード状態を示す図である。
図７は、図４のVII−VII部矢視断面図である。
図４等に示すように、フィルタ固定部材９０は、カラーメータ１の光学系における光球５０と分光センサ３０との間に配置されている。
フィルタ固定部材９０は、光学カバー４０に対して固定されている。
フィルタ固定部材９０は、例えば樹脂系材料のインジェクション成形によって一体に形成されている。
フィルタ固定部材９０は、ファイバロッド保持部９１を有する。
ファイバロッド保持部９１は、フィルタ固定部材９０から光球５０側へ突出して形成された円筒状の部分である。
ファイバロッド保持部９１は、光軸と実質的に同心に配置されている。
【００２８】
フィルタ固定部材９０の分光センサ３０側には、光源側から順に、ＩＲカットフィルタ９２、熱吸収フィルタ９３が順次設けられている。
ＩＲカットフィルタ９２、熱吸収フィルタ９３は、ファイバロッド１００から出た光が順次通過する光学素子である。
ＩＲカットフィルタ９２は、赤外線領域の波長の光を反射させる誘電体多層膜フィルタである。
熱吸収フィルタ９３は、光源から照射される熱線を吸収するものである。
ＩＲカットフィルタ９２、熱吸収フィルタ９３は、可視領域の光線には実質的に影響を及ぼさないよう構成されている。
【００２９】
ファイバロッド１００は、円柱状に形成された透明なプラスチック（ＰＭＭＡ）製のロッドである。
ファイバロッド１００は、プラスチック（ＰＭＭＡ）で形成されたコアの周囲に、クラッドを形成して構成されている。
ファイバロッド１００は、直径が例えば約２ｍｍ、長さが例えば約１５ｍｍに形成されている。
ファイバロッド１００は、光球５０から入射する光をミキシングして出射するミキシングロッドとして機能する。
光球５０に斜め方向から入射した光は、ファイバロッド１００の内部を、外周面部（クラッド内面）において全反射を繰り返しながら進行する。
ここで、ファイバロッド１００の長さは、十分なミキシング効果を得るために、直径の例えば５倍以上に設定することが好ましい。
ファイバロッド１００の光球５０側（入射側）の端部位置は、図６に示すように、Ｄモードで光球５０が引き込められた際に、光球５０と干渉しないよう考慮して設定される。
【００３０】
光学スライド部材１１０は、フィルタ固定部材９０と固定遮光部材１４０との間に配置されている。
光学スライド部材１１０は、操作部材７０によるＬモード、Ｈモード、Ｄモードの選択動作に応じて、光路上に開口、ＮＤフィルタ１２０、可動遮光部材１３０をそれぞれ配置して分光センサ３０に入射する光の状態を切り替えるものである。
【００３１】
図８は、実施例のカラーメータにおける光学スライド部材周辺の分解斜視図である。
光学スライド部材１１０は、実質的に光軸と直交する平面に沿って形成された矩形の板状に形成されている。
光学スライド部材１１０は、例えば樹脂系材料のインジェクション成形によって一体に形成されている。
光学スライド部材１１０は、フィルタ固定部材９０に対して、矩形の長辺方向に沿って直進方向に相対移動（スライド）可能に支持されている。
光学スライド部材１１０は、スライド方向に沿った側辺部に鋼球を埋設するとともに、光学スライド部材１１０から張り出した光球の突出部分を、フィルタ固定部材９０に形成された溝部に係合させることによって、フィルタ固定部材９０に対して相対移動可能となっている。
光学スライド部材１１０には、スライド方向に沿って、ＮＤフィルタ取付部１１１、開口１１２、可動遮光部材取付部１１３が順次配列されている。
【００３２】
ＮＤフィルタ取付部１１１は、Ｈモードで用いられるＮＤフィルタ１２０が取り付けられる矩形枠状の開口部である。
開口１１２は、Ｌモードにおいて、熱吸収フィルタ９３から出射する光線を通過させ、コリメートレンズ１５０に到達させる貫通穴である。
開口１１２は、矩形枠状に形成されている。
可動遮光部材取付部１１３は、可動遮光部材１３０が挿入される矩形の開口部である。
【００３３】
光学スライド部材１１０の一方の長辺部における中央部には、レンズ押え部材８０の係合ピン８１ａが挿入され、係合部８１と係合する被係合部１１４が形成されている。
被係合部１１４には、スライド方向と直交する方向に延在する長穴が形成され、係合ピン８１ａはここに挿入される。
【００３４】
図９乃至図１１は、実施例のカラーメータにおけるレンズ押え部材と光学スライド部材との係合部周辺の斜視図であって、それぞれＬモード状態、Ｈモード状態、Ｄモード状態を示している。
図９乃至図１１においては、センサ収容部２０、分光センサ３０、固定遮光部材１４０、コリメートレンズ１５０等は図示を省略している。
係合部８１、被係合部１１４は、協働してカムケース６０、操作部材７０、レンズ押え部材８０の回転運動を、スライド方向への直進運動に変換する。
【００３５】
図９に示すＬモード状態においては、光軸上（ファイバロッド１００の中心軸上）には、開口１１２が設けられ、ファイバロッド１００からＩＲカットフィルタ９２、熱吸収フィルタ９３を介して出射した光は、実質的にそのままコリメートレンズ１５０に入射するようになっている。
【００３６】
図９に示すＬモード状態から図１０に示すＨモード状態への移行は、操作部材７０、カムケース６０、レンズ押え部材８０が、図１０における反時計回りに回動し、これと連動して光学スライド部材１１０が右側へスライドすることによって行われる。
このとき、光軸上にはＮＤフィルタ１２０が設けられ、ファイバロッド１００からＩＲカットフィルタ９２、熱吸収フィルタ９３を介して出射した光は、光量を低減された状態でコリメートレンズ１５０に入射する。
【００３７】
図９に示すＬモード状態から図１１に示すＤモード状態への移行は、操作部材７０、カムケース６０、レンズ押え部材８０が、図１１における時計回りに回動し、これと連動して光学スライド部材１１０が左側へスライドすることによって行われる。
このとき、光軸上には可動遮光部材１３０が設けられ、分光センサ３０は実質的に遮光されたダーク状態となっている。
【００３８】
ＮＤフィルタ１２０は、通過する光線を波長特性、色温度等を変更することなく所定の光量だけ低減する光学素子である。
ＮＤフィルタ１２０は、光学スライド部材１１０のＮＤフィルタ取付部１１１に取り付けられている。
【００３９】
可動遮光部材１３０は、Ｄモードが選択された際に、固定遮光部材１４０と協働してコリメートレンズ１５０への入光を実質的に遮断し、分光センサ３０を遮光状態とするものである。
図１２は、実施例のカラーメータにおける可動遮光部材及び固定遮光部材の分解斜視図である。
図１２に示すように、固定遮光部材１４０は、センサカバー部１４１、案内面部１４２、開口１４３、突条枠部１４４、凹部１４５等を、例えば樹脂系材料のインジェクション成形によって一体に形成したものである。
固定遮光部材１４０は、分光センサ３０が取り付けられる基板３１の光源側の面部に固定される。
【００４０】
センサカバー部１４１は、基板３１から光源側へ突出して設けられた矩形ボックス状の部分であって、分光センサ３０及びコリメートレンズ１５０が収容される部分である。
案内面部１４２は、センサカバー部１４１の光源側の面部を、光軸と直交する平面に略沿って延長して形成された平板状の部分である。
案内面部１４２は、可動遮光部材１３０の鋼球１３１と当接することによって、可動遮光部材１３０が光軸と直交する平面に沿って移動するよう案内するものである。
開口１４３は、案内面部１４２に形成された貫通穴であって、測定対象光をセンサカバー部１４１内に導入するものである。
突条枠部１４４は、案内面部１４２から光源側へ突き出した突条を、開口１４３の周囲を取り囲んだ矩形状として形成されている。
凹部１４５は、突条枠部１４４の周囲に設けられ、案内面部１４２を凹ませて形成されたものである。
凹部１４５は、Ｄモード状態にあるときに可動遮光部材１３０の鋼球１３１の一部が収容されるものである。
【００４１】
可動遮光部材１３０は、図８、図１２に示すように、矩形の板状に形成されている。
可動遮光部材１３０の固定遮光部材１４０と対向する面部は、実質的に平面に形成されている。
可動遮光部材１３０は、光学スライド部材１１０の可動遮光部材取付部１１３内に挿入されている。
可動遮光部材１３０は、側端部から突出したピン１３０ａを可動遮光部材取付部１１３に形成された溝部１１３ａに挿入されることによって保持される。
可動遮光部材１３０の外周縁部と可動遮光部材取付部１１３の内周縁部との間には、所定の隙間が設けられ、可動遮光部材１３０は、光学スライド部材１１０に対して、光軸方向に沿った並進相対移動、及び、ピンを回転中心軸とした回動（傾斜）方向への相対変位が許容されている。
【００４２】
可動遮光部材１３０は、鋼球１３１、押え部材１３２、バネ１３３、突出部１３４、外枠部１３５等を有して構成されている。
鋼球１３１は、可動遮光部材１３０の固定遮光部材１４０側に形成された凹部に主要部分が埋設された転動体である。
鋼球１３１の一部は、可動遮光部材１３０から固定遮光部材１４０側へ突出して配置されている。
鋼球１３１は、可動遮光部材１３０の周囲に例えば３個設けられている。
【００４３】
Ｌモード時、Ｈモード時においては、鋼球１３１は、固定遮光部材１４０の案内面部１４２と当接し、光学スライド部材１１０のスライド時には、鋼球１３１は案内面部１４２に当接した状態で転動しながら可動遮光部材１３０を案内する。
また、Ｄモード時においては、鋼球１３１の突出部は、固定遮光部材１４０の凹部１４５に挿入される。
【００４４】
押え部材１３２は、光学スライド部材１１０における可動遮光部材取付部１１３の光源側に取り付けられ、可動遮光部材１３０の脱落を防止するものである。
押え部材１３２は、例えば樹脂系材料をインジェクション成形して構成され、弾性を有する爪部を光学スライド部材１１０に係合させることによって、光学スライド部材１１０に固定される。
バネ１３３は、可動遮光部材１３０の光源側の面部（固定遮光部材１４０とは反対側の面部）と、これに対向する押え部材１３２の面部との間にわたして設けられた圧縮コイルバネである。
バネ１３３は、可動遮光部材１３０を光学スライド部材１１０に対して固定遮光部材１４０側へ付勢するものである。
【００４５】
突出部１３４は、可動遮光部材１３０が案内面部１４２と対向する面部から段状に張り出して形成された部分である。
突出部１３４を分光センサ３０側から見た平面形状は、固定遮光部材１４０の開口１４３よりも大きく、開口１４３を閉塞可能な矩形となっている。
突出部１３４の突出量は、突条枠部１４４の突出量と実質的に同等に形成されている。
突出部１３４の外周縁部は、突条枠部１４４の内周縁部よりも小さい矩形となるように構成されている。
【００４６】
外枠部１３５は、可動遮光部材１３０の外周縁部から固定遮光部材１４０側へ突出して形成された矩形枠状の突条である。
可動遮光部材１３０における案内面部１４２と対向する主平面からの外枠部１３５の突出量は、突出部１３４の突出量と実質的に同等に設定されている。
外枠部１３５は、固定遮光部材１４０の突条枠部１４４を、内周側に収容可能な矩形に形成されている。
上記構成によって、突出部１３４と外枠部１３５との間隔は、固定遮光部材１４０の突条枠部１４４が挿入され収容される矩形環状の溝部として構成されている。
【００４７】
図１３、図１４は、実施例のカラーメータにおける可動遮光部材及び固定遮光部材の断面図であって、それぞれＬモード、Ｄモードにおける状態を示す図である。
図１３に示すＬモードにおいては、可動遮光部材１３０の本体部から張り出した鋼球１３１の突端部が、案内面部１４２と当接することによって、可動遮光部材１３０は固定遮光部材１４０に対して離間する方向に変位した状態となっている。
この状態においては、突出部１３４及び外枠部１３５の突端面部は、突条枠部１４４の突端部よりも光源側に配置されており、突出部１３４、外枠部１３５が、突条枠部１４４と干渉することなく案内面部１４２に沿って相対移動可能となっている。
【００４８】
図１４に示すＤモードにおいては、鋼球１３１の突端部が固定遮光部材１４０の凹部１４５に挿入される（落ち込む）。
これによって、可動遮光部材１３０は、バネ１３３の付勢力により、光学スライド部材１１０から固定遮光部材１４０に近接する方向に、光軸方向にほぼ沿って繰り出される。
この状態においては、突出部１３４は、突条枠部１４４の内側に挿入され開口１４３を実質的に閉塞した状態となっている。
可動遮光部材１３０の突出部１３４は、固定遮光部材１４０の突条枠部１４４の内側に挿入された状態となっている。
固定遮光部材１４０の突条枠部１４４の突端部は、可動遮光部材１３０の対向する面部（突出部１３４の周囲の領域）と当接している。
また、固定遮光部材１４０の突条枠部１４４は、可動遮光部材１３０の外枠部１３５によって包囲されている。
この外枠部１３５の突端部は、案内面部１４２に当接している。
このような構成により、可動遮光部材１３０と固定遮光部材１４０の間の隙間は、開口１４３の周囲においてラビリンス状に形成され、高い遮光性能を得ることができる。
【００４９】
コリメートレンズ１５０は、ファイバロッド１００からＩＲカットフィルタ９２、熱吸収フィルタ９３を介して入射する光をコリメートし、実質的に平行光として調整してから分光センサ３０に入射させる光学素子である。
コリメートレンズ１５０は、固定遮光部材１４０のセンサカバー部１４１内における分光センサ３０よりも光源側の領域に収容され固定されている。
【００５０】
フィルタ位置検出センサ１６０は、センサ収容部２０の内部に設けられ、光学スライド部材１１０の位置を検出することによって、現在どの動作モードが選択されているか判別するものである。
【００５１】
以上説明したように、本実施例によれば、操作部材７０と連動して分光センサ３０を遮光する可動遮光部材１３０、固定遮光部材１４０を設けることによって、測光モードであるＬモード、Ｈモードと校正モードであるＤモードとの選択操作と連動して分光センサ３０を遮光することができ、簡単な操作によってセンサを遮光状態として校正を行うことができる。
さらに、これらの遮光部材をカラーメータ１に内蔵することによって、例えば外部にキャップを装着する従来技術のように遮光部材を紛失する懸念がない。
【００５２】
（変形例）
本発明は、以上説明した実施例に限定されることなく、種々の変形や変更が可能であって、それらも本発明の技術的範囲内である。
（１）実施例の測光装置は、一例としてカラーメータ（測色装置・色温度計）であったが、本発明はこれに限定されず、例えば被試験光の照度を測定する照度計や、露出計など他の測光装置にも適用することが可能である。
（２）測光装置を構成する各部材の形状、構造、材質、製法等は実施例に限定されることなく適宜変更することが可能である。
【符号の説明】
【００５３】
１    カラーメータ
１０    本体部                        １１    表示装置
２０    センサ収容部                  ２１    開口
３０    分光センサ                    ３１    基板
３２    遮光板                        ３３    遮光板
４０    光学カバー                    ４１    開口
４２    Ｈモード指標                  ４３    Ｌモード指標
４４    Ｄモード指標
５０    光球                          ５１    カムフォロワ
６０    カムケース                    ６１    フランジ
６２    クリック板                    ６３    カム溝
７０    操作部材                      ７１    指標
８０    レンズ押え部材                ８１    係合部
８１ａ  係合ピン
９０    フィルタ固定部材              ９１    ファイバロッド保持部
９２    ＩＲカットフィルタ            ９３    熱吸収フィルタ
１００    ファイバロッド
１１０    光学スライド部材            １１１    ＮＤフィルタ取付部
１１２    開口                        １１３    可動遮光部材取付部
１１３ａ  溝部                        １１４    被係合部
１２０    ＮＤフィルタ
１３０    可動遮光部材                １３０ａ  ピン
１３１    鋼球                        １３２    押え部材
１３３    バネ                        １３４    突出部
１３５    外枠部
１４０    固定遮光部材                １４１    センサカバー部
１４２    案内面部                    １４３    開口
１４４    突条枠部
１５０    コリメートレンズ
１６０    フィルタ位置センサ
【図１】
2016053549.tif 000003
【図２】
2016053549.tif 000004
【図３】
2016053549.tif 000005
【図４】
2016053549.tif 000006
【図５】
2016053549.tif 000007
【図６】
2016053549.tif 000008
【図７】
2016053549.tif 000009
【図８】
2016053549.tif 000010
【図９】
2016053549.tif 000011
【図１０】
2016053549.tif 000012
【図１１】
2016053549.tif 000013
【図１２】
2016053549.tif 000014
【図１３】
2016053549.tif 000015
【図１４】
2016053549.tif 000016